(57)【要約】【課題】互いに連結される水栓本体部とスパウトヘッドとを備える構成において、水栓本体部とスパウトヘッドとを連結するための機構が外観に現れることがないようにし、また、十分な連結強度を得る。【解決手段】水栓本体部５とスパウト本体部８とを連結させる連結部材２０は、スパウト側開口部８ａの内周面に形成される内周溝に、基部２１のスパウト側開口部８ａからの抜けを規制するように係合するスパウト固定用爪部２３と、本体側差込部５ａの外周面に形成される外周溝５ｄに、基部２１の本体側差込部５ａからの抜けを規制するように係合する本体固定用爪部２４と、基部２１の上側開口端部２１ｂにおける周方向の一部を上側に延出させる延長片部２５とを有し、延長片部２５は、連結部材２０がスパウト側開口部８ａに内嵌された状態において、弾性力によってスパウト側開口部８ａを形成する内周面を押圧するように、基部２１に対して一体的に形成される。【選択図】図５
2011069169.tif 000002
【特許請求の範囲】
【請求項１】
水を吐出させる吐水口を構成するスパウトヘッドを支持する水栓本体部と、前記スパウトヘッドを構成するとともに前記水栓本体部に連結されるスパウト本体部とを備える水栓装置であって、
略筒状の基部を有し、前記水栓本体部および前記スパウト本体部のいずれか一方に形成され連結相手側に開口する開口部に内嵌された状態、かつ、前記水栓本体部および前記スパウト本体部のいずれか他方に形成され連結相手側に開口するとともに前記開口部に挿入される差込部に外嵌された状態で、前記水栓本体部と前記スパウト本体部とを連結させる連結部材を備え、
前記連結部材は、
前記基部に形成され、該基部の前記開口部に対する嵌め込みによって、前記開口部の内周面に形成される内周凹部に、前記基部の前記開口部からの抜けを規制するように係合する第一爪部と、
前記基部に形成され、該基部の前記差込部に対する嵌め込みによって、前記差込部の外周面に形成される外周凹部に、前記基部の前記差込部からの抜けを規制するように係合する第二爪部と、
前記基部の略筒状の外形における一方の開口端部に設けられ、該開口端部における周方向の一部を前記基部における前記開口端部側に延出させる延長片部と、を有し、
前記延長片部は、前記連結部材が前記開口部に内嵌された状態において、弾性力によって前記開口部を形成する内周面を押圧するように、前記基部に対して一体的に形成されることを特徴とする水栓装置。
【請求項２】
前記第二爪部は、前記基部を構成する略筒状の周壁において前記延長片部が延出する側が繋がった状態で切り出される片部として形成されるものであり、
前記延長片部は、前記連結部材が前記開口部に内嵌された状態かつ前記差込部に外嵌された状態で、前記延長片部が前記基部に繋がる部分を基点として前記基部の径方向の内側に動かされることで、前記第二爪部が少なくとも前記外周凹部に対する係合が解除される範囲で前記基部の径方向の外側に動くように、前記基部に繋がる部分を支点部として前記第二爪部とともに一体的に動作するように形成されることを特徴とする請求項１に記載の水栓装置。
【請求項３】
前記外周凹部は、前記差込部の周方向に連続する溝部であることを特徴とする請求項１または請求項２に記載の水栓装置。
【請求項４】
前記開口部の開口端面には、前記開口部の周方向の一部の範囲で該開口端面から突出するガイド片が形成されており、
前記差込部が突出する面部には、前記水栓本体部と前記スパウト本体部とが連結された状態で前記ガイド片が挿入され前記スパウト本体部の前記水栓本体部に対する回転にともなう前記ガイド片の移動を所定の範囲で許容する受入溝が形成されていることを特徴とする請求項３に記載の水栓装置。
【発明の詳細な説明】
【技術分野】
【０００１】
本発明は、水栓装置に関し、詳細には、水栓装置の吐水口を構成するスパウトヘッドの部分と水栓本体の部分との連結構造に関する。
【背景技術】
【０００２】
例えばシンクの周囲等に形成される設置面上に設けられる台付き水栓等の水栓装置には、設置面に対する基部を構成する水栓本体部に、水を吐出させる吐水口を構成するスパウトヘッドが支持される構成を有するものがある。水栓本体部とスパウトヘッドとは、設置面上において互いに連結された状態で吐水口までの通水経路を構成する。
【０００３】
このような水栓装置においては、従来、水栓本体部とスパウトヘッドとの連結のための固定が、ネジ等の締結具が用いられることで行われている。一方で、近年の水栓装置では、従来の頑丈なものから、空間にマッチしたスタイリッシュで一体感のあるフォルムが主流となっている。このため、水栓本体部とスパウトヘッドとを固定するための締結具が水栓装置において外観から見えないことが好ましい。
【０００４】
そこで、水栓本体部とスパウトヘッドとの連結構造として、例えば特許文献１に開示されている水栓装置において吐水ヘッドで用いられているような、突起部と爪部とによるスナップ嵌合の技術を用いることができる。具体的には、互いに連結される二つの部品のうち一方の部品が他方の部品に挿入された状態で連結される構成において、挿入側の部品の外周側、および被挿入側の部品の内周側に、掛止用の突起部またはこれに対応する爪部が設けられる。そして、一方の部品の他方の部品に対する挿入にともなって爪部の弾性変形等によって爪部が突起部に掛止することで、部品同士が連結される。
【０００５】
このような連結構造によれば、部品同士を連結するためにネジ等の締結具が不要となり、また、部品同士を連結するための機構が外観に現れることがない。しかし、水栓本体部とスパウトヘッドとの連結構造において突起部と爪部との掛止だけによる連結では、十分な連結強度が得られず、水栓装置の使用状態によっては、水栓本体部とスパウトヘッドとの連結状態が解除されてしまう可能性がある。
【先行技術文献】
【特許文献】
【０００６】
【特許文献１】特開２００４−１５０２１６号公報
【発明の概要】
【発明が解決しようとする課題】
【０００７】
本発明は、上記のような問題点に鑑みてなされたものであり、その解決しようとする課題は、互いに連結される水栓本体部とスパウトヘッドとを備える構成において、水栓本体部とスパウトヘッドとを連結するための機構が外観に現れることがなく、十分な連結強度が得られる水栓装置を提供することにある。
【課題を解決するための手段】
【０００８】
本発明の水栓装置は、水を吐出させる吐水口を構成するスパウトヘッドを支持する水栓本体部と、前記スパウトヘッドを構成するとともに前記水栓本体部に連結されるスパウト本体部とを備える水栓装置であって、略筒状の基部を有し、前記水栓本体部および前記スパウト本体部のいずれか一方に形成され連結相手側に開口する開口部に内嵌された状態、かつ、前記水栓本体部および前記スパウト本体部のいずれか他方に形成され連結相手側に開口するとともに前記開口部に挿入される差込部に外嵌された状態で、前記水栓本体部と前記スパウト本体部とを連結させる連結部材を備え、前記連結部材は、前記基部に形成され、該基部の前記開口部に対する嵌め込みによって、前記開口部の内周面に形成される内周凹部に、前記基部の前記開口部からの抜けを規制するように係合する第一爪部と、前記基部に形成され、該基部の前記差込部に対する嵌め込みによって、前記差込部の外周面に形成される外周凹部に、前記基部の前記差込部からの抜けを規制するように係合する第二爪部と、前記基部の略筒状の外形における一方の開口端部に設けられ、該開口端部における周方向の一部を前記基部における前記開口端部側に延出させる延長片部と、を有し、前記延長片部は、前記連結部材が前記開口部に内嵌された状態において、弾性力によって前記開口部を形成する内周面を押圧するように、前記基部に対して一体的に形成されるものである。このような構成により、互いに連結される水栓本体部とスパウトヘッドとを備える構成において、水栓本体部とスパウトヘッドとを連結するための機構が外観に現れることがなく、十分な連結強度が得られる。
【０００９】
また、本発明の水栓装置は、好ましくは、前記第二爪部は、前記基部を構成する略筒状の周壁において前記延長片部が延出する側が繋がった状態で切り出される片部として形成されるものであり、前記延長片部は、前記連結部材が前記開口部に内嵌された状態かつ前記差込部に外嵌された状態で、前記延長片部が前記基部に繋がる部分を基点として前記基部の径方向の内側に動かされることで、前記第二爪部が少なくとも前記外周凹部に対する係合が解除される範囲で前記基部の径方向の外側に動くように、前記基部に繋がる部分を支点部として前記第二爪部とともに一体的に動作するように形成されるものである。このような構成により、延長片部を基部の内側に動かすことだけで、工具等を用いることなく、メンテナンス時等において、簡単に水栓本体部とスパウト本体部との連結状態を解除することができる。
【００１０】
また、本発明の水栓装置は、好ましくは、前記外周凹部は、前記差込部の周方向に連続する溝部であるものでる。このような構成により、スパウト本体部を水栓本体部に対して回転可能に連結できるため、水栓装置の使用状況に合わせて、吐水口やスパウトヘッドの位置を調整することができる。
【００１１】
また、本発明の水栓装置は、好ましくは、前記開口部の開口端面には、前記開口部の周方向の一部の範囲で該開口端面から突出するガイド片が形成されており、前記差込部が突出する面部には、前記水栓本体部と前記スパウト本体部とが連結された状態で前記ガイド片が挿入され前記スパウト本体部の前記水栓本体部に対する回転にともなう前記ガイド片の移動を所定の範囲で許容する受入溝が形成されているものである。このような構成により、簡単な構成によって、スパウト本体部の水栓本体部に対する回転範囲を規制することができる。
【発明の効果】
【００１２】
本発明によれば、互いに連結される水栓本体部とスパウトヘッドとを備える構成において、水栓本体部とスパウトヘッドとを連結するための機構が外観に現れることがなく、十分な連結強度が得られる。
【図面の簡単な説明】
【００１３】
【図１】本発明の一実施形態に係る水栓装置の適用例を示すシンクの斜視図。
【図２】本発明の一実施形態に係る水栓装置の構成を示す斜視図。
【図３】本発明の一実施形態に係る水栓装置の構造を示す断面図。
【図４】図２におけるＡ部分拡大図。
【図５】本発明の一実施形態に係る水栓装置の連結構造を示す分解斜視図。
【図６】本発明の一実施形態に係る連結部材を示す斜視図。
【図７】本発明の一実施形態に係る連結部材を示す側面図。
【図８】本発明の一実施形態に係る水栓装置の連結構造を示す断面図。
【図９】本発明の一実施形態に係る水栓装置の連結構造を示す断面図。
【図１０】本発明の他の実施形態に係る水栓装置の構成を示す側面図。
【図１１】本発明の他の実施形態に係る水栓装置の連結構造を示す分解斜視図。
【図１２】本発明の他の実施形態に係る水栓装置の連結構造を示す分解斜視図。
【図１３】本発明の他の実施形態に係る水栓装置の連結構造を示す断面図。
【図１４】本発明の他の実施形態に係る水栓装置の連結構造を示す断面図。
【図１５】本発明の他の実施形態に係る水栓装置の構成を示す側面図。
【図１６】本発明の他の実施形態に係る水栓装置の連結構造を示す分解斜視図。
【図１７】本発明の他の実施形態に係る水栓装置の連結構造を示す分解斜視図。
【図１８】本発明の他の実施形態に係る水栓装置の連結構造を示す断面図。
【図１９】本発明の他の実施形態に係る水栓装置の連結構造を示す断面図。
【発明を実施するための形態】
【００１４】
本発明は、吐水口を構成するスパウトヘッドが水栓本体部に連結される構成において、水栓本体部側およびスパウトヘッド側のそれぞれに係合する連結部材を用い、その形状を工夫することで、ネジ等の締結具を用いることなく、十分な連結強度をもって、水栓本体部とスパウトヘッドとをこれらの内部において連結させるものである。以下、本発明の実施の形態を説明する。
【００１５】
本発明の第一実施形態について説明する。図１に示すように、本実施形態に係る水栓装置１は、例えばシンク２において流し３の周囲に形成される平面部であるカウンタ４上に設置される台付き水栓である。水栓装置１においては、カウンタ４に対する基部を構成する水栓本体部５に、水を吐出させる吐水口６を構成するスパウトヘッド７が支持される。水栓本体部５は、カウンタ４に対して固定された状態で設けられる。水栓本体部５とスパウトヘッド７とは、カウンタ４上において互いに連結された状態で吐水口６までの通水経路を構成する。
【００１６】
このように、スパウトヘッド７を支持する水栓本体部５を備える水栓装置１は、スパウトヘッド７を構成するとともに水栓本体部５に連結されるスパウト本体部８を備える。本実施形態の水栓装置１においては、スパウトヘッド７が有する吐水口６は、水栓本体部５に対して連結される部分であるスパウト本体部８に対して引出し可能な吐水部９に設けられる。
【００１７】
具体的には、図２および図３に示すように、水栓本体部５は、略釣鐘形状を有し、上側に向けて徐々に縮径するようにカウンタ４上に立った状態で設けられる。水栓本体部５の上側に、スパウトヘッド７が支持される。スパウトヘッド７は、水栓本体部５に連結されるスパウト本体部８において、水栓本体部５のテーパ形状を連続させるように上側に向けて徐々に縮径する外形を有する。これにより、水栓本体部５とスパウト本体部８との連結部分において一体的なフォルムが形成される。水栓本体部５およびスパウト本体部８は、いずれも管状の部材であり、互いに連結された状態で吐水部９側およびカウンタ４側に開口する内部空間を形成する。
【００１８】
また、スパウト本体部８は、カウンタ４上において鉛直方向（カウンタ４に対して略垂直方向）に対して湾曲する形状を有する。スパウト本体部８の先端側（水栓本体部５に連結される側と反対側）に、吐水部９が支持される。吐水部９は、スパウト本体部８の先端部と略同径の略円柱状に構成され、その一端側がスパウト本体部８に対して支持される。したがって、吐水部９は、前記のとおり湾曲する形状を有するスパウト本体部８によって、鉛直方向に対して斜めとなる姿勢で支持される。吐水部９の先端側（スパウト本体部８に支持される側と反対側）に、吐水口６が設けられる。吐水口６は、円柱状の吐水部９において径方向外側に向けて開口するように設けられ、吐水部９がスパウト本体部８に支持された状態で斜め下方向に向く。
【００１９】
このように水栓装置１を構成する水栓本体部５およびスパウトヘッド７は、金属や樹脂等を材料として形成される。以下の説明では、水栓装置１において、水栓本体部５とスパウト本体部８との関係における水栓本体部５側（図３において下側）を下側とし、スパウト本体部８側（同図において上側）を上側とする。
【００２０】
吐水部９におけるスパウト本体部８に支持される側の端部には、給水用のホース１０が接続される。ホース１０は、可撓性の部材であり、連結された状態の水栓本体部５およびスパウト本体部８の内部空間を貫通した状態で配される。吐水部９の内部には、一端側がホース１０に連通するとともに他端側が吐水口６に連通する通水路９ａが形成される。通水路９ａは、略円柱状の吐水部９において中心軸部分に沿うように形成される。このような構成により、吐水部９が、スパウト本体部８に支持された状態から、ホース１０を連れ立ってスパウト本体部８に対して引き出される。
【００２１】
スパウト本体部８の上側（先端側）の開口部には、吐水部９のスパウト本体部８に対する引出し操作や戻し操作にともなうホース１０の移動をガイドするためのホースガイド１１が装着される。ホースガイド１１は、ホース１０を貫通させるガイド孔１１ａを形成する略筒状の部材である。ホースガイド１１は、スパウト本体部８の上側の開口部に対して、ガイド孔１１ａによってスパウト本体部８の内部空間を吐水部９側に開口させるように挿入された状態で、スパウト本体部８に対して支持固定される。ホースガイド１１は、スパウト本体部８の上側の開口部から一部突出した状態でスパウト本体部８に支持される。吐水部９は、ホースガイド１１のスパウト本体部８からの突出部分を挿入させた状態でスパウト本体部８に支持される。
【００２２】
また、水栓装置１は、湯水混合型の水栓である。このため、水栓装置１においては、水栓本体部５に、水と湯を混合するための混合機構を内蔵する混合部１２が設けられる。混合部１２には、水を供給するための水用配管１３、および湯を供給するための湯用配管１４がそれぞれ管継手等を介して接続される。水用配管１３により、上水等から導かれる水が混合部１２に供給され、湯用配管１４により、給湯器等により得られる湯が混合部１２に供給される。
【００２３】
混合部１２は、供給された水と湯を所定の割合で混合することで混合水を生成する。混合部１２には、混合部１２により得られた混合水を流出するための流出管１５の一端が接続される。流出管１５の他端は、前記のとおり吐水部９に接続されるホース１０の他端側が接続される。すなわち、水栓装置１においては、水用配管１３からの水および湯用配管１４からの湯が混合部１２において混合され、混合部１２によって得られた混合水が、流出管１５およびホース１０を介して吐水部９に導かれ、通水路９ａを通って吐水口６から吐出される。
【００２４】
そして、水栓装置１においては、水栓本体部５に、吐水口６から吐出される水の流量・温度の調整を行うための操作部１６が設けられている。操作部１６は、混合部１２において構成される混合機構と連動するように設けられる。操作部１６の外周面には、操作部１６を操作するための操作用突起１６ａが設けられる。操作部１６の回動操作および傾動操作により、吐水口６から吐出される水の止水・吐水を含む流量の調整、および温度の調整が行われる。
【００２５】
以上のような構成を備える水栓装置１においては、水栓本体部５とスパウト本体部８との連結が、連結部材２０によって行われる。連結部材２０は、例えば樹脂等の弾性変形可能な材料により形成される。図４〜図６に示すように、連結部材２０は、略筒状の基部２１を有する。連結部材２０は、水栓本体部５とスパウト本体部８との連結部分に内装された状態で、水栓本体部５とスパウト本体部８とを連結する。このため、基部２１は、水栓本体部５とスパウト本体部８との連結部分の形状に合わせて、上側（スパウト本体部８側）に向けて徐々に縮径するテーパ形状を有する。
【００２６】
図３、図５、図７および図８に示すように、連結部材２０は、スパウト本体部８に形成され連結相手である水栓本体部５側に開口する開口部（以下「スパウト側開口部」という。）８ａに内嵌された状態、かつ、水栓本体部５に形成され連結相手であるスパウト本体部８側に開口するとともにスパウト側開口部８ａに挿入される差込部（以下「本体側差込部」という。）５ａに外嵌された状態で、水栓本体部５とスパウト本体部８とを連結させる。
【００２７】
連結部材２０が内嵌されるスパウト側開口部８ａは、管状の部材であるスパウト本体部８の下側の開口部である。連結部材２０は、スパウト本体部８に対して下側から差し込まれることで、基部２１の外周面部を、スパウト本体部８の内周面（以下「スパウト本体部内周面」という。）８ｂに沿わせた状態で、スパウト側開口部８ａに内嵌される。また、スパウト側開口部８ａの開口端面は、略水平面である下端面８ｃとして形成される。
【００２８】
連結部材２０が外嵌される本体側差込部５ａは、水栓本体部５の上端部において上側に突出するように形成される略円筒状の部分である。つまり、本体側差込部５ａは、水栓本体部５において、上側の端部に形成される水栓本体部５の外形に対する縮径部分である。水栓本体部５とスパウト本体部８とが連結された状態においては、本体側差込部５ａがスパウト側開口部８ａに差し込まれ、スパウト本体部８の内部空間と水栓本体部５の内部空間とが連通した状態となる。
【００２９】
連結部材２０は、基部２１に本体側差込部５ａを貫通させるように水栓本体部５に対して上側から嵌め込まれることで、基部２１の内周面部を、本体側差込部５ａの外周面に沿わせた状態で、本体側差込部５ａに外嵌される。また、水栓本体部５において本体側差込部５ａが突出する上側面部５ｃは、略水平面として形成される。
【００３０】
連結部材２０は、基部２１の下端部に、基部２１の径方向外側に突出する円環状の鍔部２２を有する。鍔部２２は、水栓本体部５とスパウト本体部８との連結状態において、水栓本体部５とスパウト本体部８とによって挟まれる。すなわち、水栓本体部５の上側面部５ｃおよびスパウト本体部８の下端面８ｃは、略同じ外径寸法を有し、水栓本体部５とスパウト本体部８とが連結された状態においては、水栓本体部５の上側面部５ｃの周縁部およびスパウト本体部８の下端面８ｃが合わせ面となり、これら上側面部５ｃの周縁部と下端面８ｃとの間に、連結部材２０の鍔部２２が挟まれる。
【００３１】
このように、スパウト側開口部８ａに内嵌された状態、かつ本体側差込部５ａに外嵌された状態で、水栓本体部５とスパウト本体部８とを連結させる連結部材２０について、図４〜図９を用いて具体的に説明する。連結部材２０は、スパウト固定用爪部２３と、本体固定用爪部２４とを有する。スパウト固定用爪部２３は、連結部材２０がスパウト側開口部８ａに内嵌された状態でスパウト本体部８に対して固定されるための掛止爪２３ａを形成する部分である。また、本体固定用爪部２４は、連結部材２０が本体側差込部５ａに外嵌された状態で水栓本体部５に対して固定されるための掛止爪２４ａを形成する部分である。
【００３２】
スパウト固定用爪部２３は、基部２１に形成される。本実施形態では、スパウト固定用爪部２３は、略筒状の基部２１において径方向に対向する位置となる二箇所に設けられる。二つのスパウト固定用爪部２３は、対向する方向に対称に（同形状に）形成される。スパウト固定用爪部２３は、基部２１を構成する略筒状の周壁において下側の辺部が繋がった状態で略矩形状に切り出されたような片部として形成される。言い換えると、スパウト固定用爪部２３は、基部２１を構成する略筒状の周壁の一部を形成するとともに上側に向けて突出する略矩形板状の部分である。略矩形状のスパウト固定用爪部２３においては、上側（略筒状の周壁に繋がる側と反対側）の辺部に沿って掛止爪２３ａが形成される。
【００３３】
掛止爪２３ａは、略筒状の基部２１の略中心軸の位置を通る断面視（図８参照）で、外側が斜辺となる略二等辺三角形状を有し、外側面の傾斜によってスパウト固定用爪部２３の厚さ方向（基部２１の径方向）の寸法を上側にかけて徐々に小さくするとともに、下側を段差側とする段差部分として形成される。したがって、掛止爪２３ａは、スパウト固定用爪部２３の外側面部において、段差を形成するとともに下側を向く段差面２３ｂと、段差面２３ｂから上側にかけて基部２１の内側に傾斜する傾斜面２３ｃとを有する。
【００３４】
スパウト固定用爪部２３は、掛止爪２３ａをスパウト側開口部８ａの内周面（スパウト本体部内周面８ｂ）に形成される内周凹部としての内周溝８ｄに係合させることで、スパウト側開口部８ａに内嵌される連結部材２０をスパウト本体部８に対して固定する。内周溝８ｄは、スパウト側開口部８ａの内周面において略全周にわたって形成され、掛止爪２３ａが嵌るように、少なくとも掛止爪２３ａの上下方向の寸法と略同じ幅寸法を有する。ただし、内周溝８ｄは、スパウト側開口部８ａの内周面において周方向の一部に形成されてもよい。
【００３５】
このように、掛止爪２３ａを形成するスパウト固定用爪部２３を有する連結部材２０が、スパウト固定用爪部２３における掛止爪２３ａ側を前側として、スパウト側開口部８ａに差し込まれることで、掛止爪２３ａがスパウト本体部８の内周溝８ｄに係合する。詳細には、連結部材２０がスパウト側開口部８ａに差し込まれることで、掛止爪２３ａが傾斜面２３ｃによってスパウト側開口部８ａの内周面に当接するとともに、スパウト固定用爪部２３が基部２１に繋がる部分から内側に弾性変形した状態となる。かかる状態から、連結部材２０がスパウト側開口部８ａの奥側にさらに移動し、掛止爪２３ａを形成する段差面２３ｂが内周溝８ｄに達することで、スパウト固定用爪部２３の内側への弾性変形の外側への戻り作用により、掛止爪２３ａが内周溝８ｄに嵌り込む。
【００３６】
スパウト固定用爪部２３の掛止爪２３ａが内周溝８ｄに係合することで、連結部材２０がスパウト本体部８に固定される。すなわち、掛止爪２３ａが内周溝８ｄに係合した状態においては、掛止爪２３ａの段差面２３ｂが内周溝８ｄに対する掛止面となり、連結部材２０のスパウト側開口部８ａからの下側への抜けが規制される。また、掛止爪２３ａが内周溝８ｄに係合した状態においては、連結部材２０が基部２１に形成される鍔部２２をスパウト本体部８の下端面８ｃに接触させた状態となることで、連結部材２０のスパウト本体部８に対する上側への移動が規制される。
【００３７】
このように、連結部材２０は、二箇所のスパウト固定用爪部２３によってスパウト側開口部８ａに内嵌された状態でスパウト本体部８に固定される。つまり、本実施形態に係る連結部材２０においては、基部２１に形成されるスパウト固定用爪部２３が、基部２１のスパウト側開口部８ａに対する嵌め込みによって、スパウト側開口部８ａの内周面に形成される内周溝８ｄに、基部２１のスパウト側開口部８ａからの抜けを規制するように係合する第一爪部として機能する。
【００３８】
本体固定用爪部２４は、基部２１に形成される。本実施形態では、本体固定用爪部２４は、略筒状の基部２１において一箇所に設けられる。本体固定用爪部２４は、対向配置される二つのスパウト固定用爪部２３に対して、基部２１の周方向について略９０°ずれた位置に設けられる。本体固定用爪部２４は、基部２１を構成する略筒状の周壁において上側の辺部が繋がった状態で略矩形状に切り出されたような片部として形成される。言い換えると、本体固定用爪部２４は、基部２１を構成する略筒状の周壁の一部を形成するとともに下側に向けて突出する略矩形板状の部分である。略矩形状の本体固定用爪部２４においては、下側（略筒状の周壁に繋がる側と反対側）の辺部に沿って掛止爪２４ａが形成される。
【００３９】
掛止爪２４ａは、略筒状の基部２１の略中心軸の位置を通る断面視（図９参照）で、内側が斜辺となる略二等辺三角形状を有し、内側面の傾斜によって本体固定用爪部２４の厚さ方向（基部２１の径方向）の寸法を下側にかけて徐々に小さくするとともに、上側を段差側とする段差部分として形成される。したがって、掛止爪２４ａは、本体固定用爪部２４の内側面部において、段差を形成するとともに上側を向く段差面２４ｂと、段差面２４ｂから下側にかけて基部２１の外側に傾斜する傾斜面２４ｃとを有する。
【００４０】
本体固定用爪部２４は、掛止爪２４ａを本体側差込部５ａの外周面に形成される外周凹部としての外周溝５ｄに係合させることで、本体側差込部５ａに外嵌される連結部材２０を水栓本体部５に対して固定する。外周溝５ｄは、本体側差込部５ａの外周面において略全周にわたって形成され、掛止爪２４ａが嵌るように、少なくとも掛止爪２４ａの上下方向の寸法と略同じ幅寸法を有する。ただし、外周溝５ｄは、本体側差込部５ａの外周面において周方向の一部に形成されてもよい。
【００４１】
このように、掛止爪２４ａを形成する本体固定用爪部２４を有する連結部材２０が、本体固定用爪部２４における掛止爪２４ａ側を前側として、本体側差込部５ａに嵌め込まれることで、掛止爪２４ａが水栓本体部５の外周溝５ｄに係合する。詳細には、連結部材２０が本体側差込部５ａに嵌め込まれることで、掛止爪２４ａが傾斜面２４ｃによって本体側差込部５ａの外周面に当接するとともに、本体固定用爪部２４が基部２１に繋がる部分から外側に弾性変形した状態となる。かかる状態から、連結部材２０が本体側差込部５ａの奥側にさらに移動し、掛止爪２４ａを形成する段差面２４ｂが外周溝５ｄに達することで、本体固定用爪部２４の外側への弾性変形の内側への戻り作用により、掛止爪２４ａが外周溝５ｄに嵌り込む。
【００４２】
本体固定用爪部２４の掛止爪２４ａが外周溝５ｄに係合することで、連結部材２０が水栓本体部５に固定される。すなわち、掛止爪２４ａが外周溝５ｄに係合した状態においては、掛止爪２４ａの段差面２４ｂが外周溝５ｄに対する掛止面となり、連結部材２０の本体側差込部５ａからの上側への抜けが規制される。また、掛止爪２４ａが外周溝５ｄに係合した状態においては、連結部材２０が基部２１の底面２１ａを水栓本体部５の上側面部５ｃに接触させた状態となることで、連結部材２０の水栓本体部５に対する下側への移動が規制される。
【００４３】
このように、連結部材２０は、一箇所の本体固定用爪部２４によって本体側差込部５ａに外嵌された状態で水栓本体部５に固定される。つまり、本実施形態に係る連結部材２０においては、基部２１に形成される本体固定用爪部２４が、基部２１の本体側差込部５ａに対する嵌め込みによって、本体側差込部５ａの外周面に形成される外周溝５ｄに、基部２１の本体側差込部５ａからの抜けを規制するように係合する第二爪部として機能する。
【００４４】
また、連結部材２０は、延長片部２５を有する。延長片部２５は、基部２１の略筒状の外形における一方の（本実施形態では上側の）開口端部（以下「上側開口端部」という。）２１ｂに設けられ、この上側開口端部２１ｂにおける周方向の一部を基部２１における上側開口端部２１ｂ側（上側）に延出させる。
【００４５】
延長片部２５は、上側開口端部２１ｂからの延出方向を長手方向とする短冊状の板状部分である。延長片部２５は、基部２１の上下方向の寸法に対して１〜２倍程度の長さを有し、基部２１を構成する略筒状の周壁の部分と略同じ板厚を有する。延長片部２５は、連結部材２０がスパウト側開口部８ａに内嵌されてスパウト本体部８に固定された状態で、外側の板面をスパウト本体部内周面８ｂに沿うような形状を有する。
【００４６】
したがって、本実施形態の水栓装置１では、延長片部２５は、スパウト本体部８が湾曲する形状を有することに対応して、上側開口端部２１ｂからの延出方向に湾曲している。また、本実施形態では、延長片部２５は、スパウト本体部内周面８ｂにおいて、スパウト本体部８が湾曲する方向における内周側（図９において左側）の部分に沿うように形成される。
【００４７】
延長片部２５は、樹脂の一体成形等によって基部２１に対して一体的に形成される。延長片部２５は、基部２１に対して繋がる部分を基点とする弾性変形によって、スパウト本体部内周面８ｂに対して部分的にまたは全体的に接触した状態で、スパウト本体部内周面８ｂを押圧するように形成される。このため、連結部材２０がスパウト側開口部８ａに内嵌されることで、延長片部２５の弾性変形によってスパウト本体部内周面８ｂを押圧するような付勢力が得られるように、自然状態（スパウト側開口部８ａに嵌め込まれていない状態）での連結部材２０における延長片部２５の鉛直方向に対する外側への傾斜度合いや湾曲度合いを含む、延長片部２５の形状が設定される。例えば、延長片部２５は、その鉛直方向に対する外側への傾斜角が、スパウト本体部内周面８ｂの鉛直方向に対する傾斜角よりも大きくなるように形成される。
【００４８】
以上のように、延長片部２５は、連結部材２０がスパウト側開口部８ａに内嵌された状態において、弾性力によってスパウト本体部内周面８ｂを押圧するように、基部２１に対して一体的に形成される。このように延長片部２５を有する連結部材２０がスパウト側開口部８ａに嵌め込まれた状態においては、スパウト固定用爪部２３および延長片部２５がそれぞれ弾性変形による外側への付勢によってスパウト本体部内周面８ｂを押圧した状態となることで、連結部材２０のスパウト本体部８に対する周方向の移動が規制される。
【００４９】
また、延長片部２５は、本体固定用爪部２４との関係において、以下のように形成される。本体固定用爪部２４は、基部２１において、基部２１を構成する略筒状の周壁において延長片部２５が延出する側（上側）が繋がった状態で切り出される片部として形成される。また、延長片部２５は、基部２１に対して、一端側が上側開口端部２１ｂに繋がった状態となるように形成される。
【００５０】
そして、延長片部２５は、本体固定用爪部２４に対して、基部２１における周方向の位置が略一致するように設けられる。言い換えると、本体固定用爪部２４と延長片部２５とは、基部２１の上端部における共通の部分に対して上下から繋がるように形成される。また、本体固定用爪部２４と延長片部２５は、幅方向（基部２１の周方向）の寸法が略同じとなるように形成される。
【００５１】
このような本体固定用爪部２４と延長片部２５との配置関係および相対的な大きさ等によれば、本体固定用爪部２４および延長片部２５が、基部２１の上端部において基部２１の周方向に沿う両側の部分を基部２１を構成する略筒状の周壁に対する接続部２１ｃとする一体の板状の部分により形成される態様となる。
【００５２】
したがって、本体固定用爪部２４は、延長片部２５が基部２１に繋がる部分を基点として基部２１の内外方向に傾動させられることで、弾性変形により、接続部２１ｃを含む、延長片部２５が基部２１に繋がる部分を支点部としてシーソーのごとく延長片部２５と一体的に動作する。つまり、延長片部２５が基部２１に対して内側に傾動させられることで、本体固定用爪部２４は基部２１を構成する周壁に対して外側に傾動し、逆に、延長片部２５が基部２１に対して外側に傾動させられることで、本体固定用爪部２４は基部２１を構成する周壁に対して内側に傾動する。
【００５３】
そして、こうした本体固定用爪部２４と延長片部２５との一体的な動作は、連結部材２０がスパウト側開口部８ａに内嵌された状態かつ本体側差込部５ａに外嵌された状態で、延長片部２５が基部２１に繋がる部分を基点として基部２１の径方向の内側に動かされることで、本体固定用爪部２４が少なくとも外周溝５ｄに対する係合が解除される範囲で基部２１の径方向の外側に動くように行われる。つまり、水栓本体部５とスパウト本体部８とを連結させた状態の連結部材２０において、延長片部２５がスパウト本体部内周面８ｂから離間するように動かされることで、本体固定用爪部２４が本体側差込部５ａの外周面から離間することで掛止爪２４ａを外周溝５ｄから離脱させるように動く。
【００５４】
このように延長片部２５が基部２１に繋がる部分を支点部として本体固定用爪部２４とともに一体的に動作するように形成される構成においては、スパウト本体部８の上側の開口部からの作業によって、延長片部２５の部分が、例えば指や工具等によってスパウト本体部内周面８ｂから離間するように動かされることで、本体固定用爪部２４の本体側差込部５ａに対する係合が解除される（図９、矢印Ｂ参照）。したがって、スパウト本体部８の上側の開口部からの延長片部２５の操作によって本体固定用爪部２４の本体側差込部５ａに対する係合が解除されることで、スパウト固定用爪部２３によって連結部材２０を固定させた状態のスパウト本体部８を、本体側差込部５ａから引き抜くことができる。
【００５５】
ここで、図９に示すように、延長片部２５の先端部には、指や工具等を引っ掛けるための掛かり部２５ａが形成されている。掛かり部２５ａは、延長片部２５の先端部の厚さをスパウト本体部内周面８ｂに接触する側（外側）から薄くさせる部分であり、スパウト本体部内周面８ｂに接触した状態の延長片部２５とスパウト本体部内周面８ｂとの間に隙間を形成する。つまり、掛かり部２５ａによって延長片部２５とスパウト本体部内周面８ｂとの間に形成される隙間に、指や工具等が引っ掛けられることで、本体固定用爪部２４の本体側差込部５ａに対する係合の解除のための延長片部２５の操作が行われる。
【００５６】
また、図４および図９に示すように、延長片部２５の先端部は、前述したようにスパウト本体部８の上側の開口部に装着されるホースガイド１１によって押さえられる。具体的には、略筒状の部材であるホースガイド１１のスパウト本体部８に対する挿入方向の奥側の端部（下端部）の外周面部１１ｂが、延長片部２５の先端部の内側（掛かり部２５ａの反対側）に接触した状態で、延長片部２５の先端部がホースガイド１１によって押さえられる。
【００５７】
このように、延長片部２５の先端部がホースガイド１１によって押さえられることで、延長片部２５に連動する本体固定用爪部２４による本体側差込部５ａに対する係合が外れることが防止される。つまり、ホースガイド１１の外周面部１１ｂにより、延長片部２５がスパウト本体部内周面８ｂから離間する方向、すなわち本体固定用爪部２４による本体側差込部５ａに対する係合が解除する方向への延長片部２５の動作が規制されるので、水栓装置１が衝撃を受けること等による本体固定用爪部２４の不意の係合解除が発生することがない。
【００５８】
また、連結部材２０によって水栓本体部５とスパウト本体部８とが連結される構造においては、本体固定用爪部２４の掛止爪２４ａが係合する外周溝５ｄは、本実施形態のように本体側差込部５ａの周方向に連続する溝部であることが好ましい。つまり、本体固定用爪部２４が係合する外周凹部は、本体固定用爪部２４の掛止爪２４ａの幅方向（基部２１の周方向）の寸法に対して十分に長い溝部であることが好ましい。本実施形態では、外周溝５ｄは、本体側差込部５ａの全周にわたって形成されている。
【００５９】
本実施形態においては、本体固定用爪部２４の掛止爪２４ａは、外周溝５ｄに嵌った状態で外周溝５ｄに沿って本体側差込部５ａの周方向に摺動移動可能である。このため、連結部材２０が固定された状態で本体固定用爪部２４によって水栓本体部５に連結されるスパウト本体部８は、水栓本体部５に対して回転可能となる。
【００６０】
このように、本体固定用爪部２４の掛止爪２４ａが係合する外周溝５ｄが、本体側差込部５ａの周方向に連続する溝部であることにより、スパウト本体部８を水栓本体部５に対して回転可能に連結できる。これにより、水栓装置１の使用者は、水栓装置１の使用状況に合わせて、吐水口６やスパウトヘッド７の位置を調整することができる。
【００６１】
また、スパウト本体部８の水栓本体部５に対する回転は、所定の範囲で規制される。図５に示すように、水栓装置１は、スパウト本体部８の回転範囲を規制するため、スパウト本体部８に設けられるガイド片３１と、水栓本体部５に設けられる受入溝３２とを有する。
【００６２】
ガイド片３１は、スパウト側開口部８ａの開口端面である下端面８ｃにおいて下側に向けて突出するように形成される略矩形板状の突起部分である。ガイド片３１は、スパウト本体部８と一体的に形成される（図９参照）。ガイド片３１は、スパウト側開口部８ａの周方向について、連結部材２０がスパウト側開口部８ａに嵌め込まれた状態で本体固定用爪部２４に略対向する位置（スパウト固定用爪部２３から略９０°ずれた位置）に設けられる。
【００６３】
受入溝３２は、本体側差込部５ａが突出する面部である上側面部５ｃにおいて上側に開口し、水栓本体部５に連結された状態のスパウト本体部８のガイド片３１を受け入れる。このため、受入溝３２は、ガイド片３１に対応して、水栓本体部５の径方向について、スパウト本体部８が水栓本体部５に連結された状態でのガイド片３１の挿入が可能な位置に形成される。受入溝３２は、スパウト本体部８の水栓本体部５に対する回転にともなうガイド片３１の移動を許容するように、上側面部５ｃの外縁に沿って円弧状に形成される。
【００６４】
このようにガイド片３１を有するスパウト本体部８は、ガイド片３１を受入溝３２に挿入させた状態で、水栓本体部５に連結される。一方で、ガイド片３１が突出する下端面８ｃは、水栓本体部５の上側面部５ｃの周縁部とともに連結部材２０の鍔部２２を挟み込む。このため、連結部材２０においては、鍔部２２を上下方向に貫通する許容孔２２ａが形成されている。許容孔２２ａは、連結部材２０がスパウト本体部８に固定された状態において、鍔部２２が略接触する下端面８ｃからのガイド片３１の突出を許容する。つまり、ガイド片３１は、許容孔２２ａを介して受入溝３２に挿入される。したがって、許容孔２２ａは、鍔部２２において、連結部材２０がスパウト本体部８に固定された状態でガイド片３１を貫通させることができるような位置・形状に形成される。
【００６５】
このように、スパウト本体部８がガイド片３１を受入溝３２に挿入させた状態で水栓本体部５に連結される構成においては、スパウト本体部８の水栓本体部５に対する回転範囲が所定の範囲で規制される。すなわち、ガイド片３１がスパウト本体部８の回転についてのストッパとして機能し、ガイド片３１が受入溝３２の端部の壁面に当たることで、スパウト本体部８の回転が規制される。したがって、スパウト本体部８は、ガイド片３１が円弧状の受入溝３２に対して周方向の両端の壁面に当たるまでの範囲で、水栓本体部５に対する回転範囲が規制される。このため、受入溝３２の円弧の長さ、およびガイド片３１の幅方向（スパウト側開口部８ａの周方向）の長さ等の設定によって、スパウト本体部８の水栓本体部５に対する回転範囲が設定される。
【００６６】
このように、スパウト本体部８側に設けられるガイド片３１が水栓本体部５側に形成される受入溝３２に挿入される構成によれば、簡単な構成によって、スパウト本体部８の水栓本体部５に対する回転範囲を規制することができる。スパウト本体部８の水栓本体部５に対する回転範囲が規制できることで、水栓本体部５およびスパウト本体部８の内部を通るホース１０のねじれを防止することができる。
【００６７】
なお、ガイド片３１については、スパウト側開口部８ａの周方向の一部の範囲で下端面８ｃから突出するものであれば、下端面８ｃにおいて設けられる位置や形状等は特に限定されない。また、受入溝３２については、水栓本体部５とスパウト本体部８とが連結された状態でガイド片３１が挿入されスパウト本体部８の水栓本体部５に対する回転にともなうガイド片３１の移動を所定の範囲で許容するものでれば、上側面部５ｃにおいて設けられる位置や形状等は特に限定されない。
【００６８】
以上のように、連結部材２０によって水栓本体部５とスパウト本体部８とが連結される本実施形態の水栓装置１の組付け手順の一例について説明する。水栓装置１の組付けにおいては、まず、連結部材２０が、スパウト本体部８に取り付けられる。つまり、連結部材２０がスパウト側開口部８ａに嵌め込まれることで、スパウト固定用爪部２３が内周溝８ｄに係合し、連結部材２０がスパウト本体部８に固定される。
【００６９】
次に、スパウト本体部８に固定された状態の連結部材２０が、スパウト本体部８ごと水栓本体部５に取り付けられる。つまり、スパウト本体部８と連結部材２０との組品が、連結部材２０に本体側差込部５ａが挿入されるように水栓本体部５に対して組み付けられることで、連結部材２０が本体側差込部５ａに嵌め込まれ、本体固定用爪部２４が外周溝５ｄに係合する。これにより、水栓本体部５とスパウト本体部８とが連結部材２０によって連結された状態となる。
【００７０】
水栓本体部５とスパウト本体部８とが連結部材２０によって連結された後、ホースガイド１１がスパウト本体部８の上側の開口部に装着される。ここでスパウト本体部８に装着されるホースガイド１１により、連結部材２０の延長片部２５の先端部が押さえられる。そして、ホースガイド１１のスパウト本体部８からの突出部分に装着される吐水部９が、水栓本体部５およびスパウト本体部８内を通るホース１０に接続された状態で組み付けられることで、水栓装置１の組付けが完了する。
【００７１】
以上のような本実施形態の水栓装置１によれば、互いに連結される水栓本体部５とスパウトヘッド７とを備える構成において、水栓本体部５とスパウトヘッド７とを連結するための機構が外観に現れることがなく、十分な連結強度が得られる。
【００７２】
すなわち、連結部材２０は、スパウト側開口部８ａに内嵌されることで、スパウト本体部８内に収容された状態で、本体側差込部５ａに外嵌される。このため、水栓本体部５とスパウト本体部８とが連結した状態においては、上側面部５ｃの周縁部と下端面８ｃとに挟まれる鍔部２２の部分以外は外観に現れることがない。これにより、水栓本体部５とスパウト本体部８との連結部分において一体感のあるフォルムを実現することができる。
【００７３】
また、連結部材２０によれば、スパウト固定用爪部２３によるスパウト本体部８に対する係合作用、および本体固定用爪部２４による水栓本体部５に対する係合作用に加え、延長片部２５によるスパウト本体部内周面８ｂに対する押圧作用が得られる。このため、水栓本体部５とスパウト本体部８とが爪部による係合作用のみによって連結される場合との比較において、しっかり連結され、高い連結強度が得られる。
【００７４】
また、本実施形態に係る連結部材２０においては、延長片部２５が本体固定用爪部２４と一体的に動作するように形成されることから、延長片部２５を基部２１の内側に向けて動かすことだけで、工具等を用いることなく、簡単に水栓本体部５とスパウト本体部８との連結状態を解除することができる。これにより、水栓本体部５およびスパウト本体部８のそれぞれ単独でのメンテナンスを容易に行うことが可能となる。さらに、本体固定用爪部２４と連動する延長片部２５は、スパウト本体部内周面８ｂに対して押し付けられた状態となるため、本体固定用爪部２４の本体側差込部５ａに対する係合が解除する方向への本体固定用爪部２４の動きが規制され、本体固定用爪部２４の係合状態が確保される。
【００７５】
なお、連結部材２０が有するスパウト固定用爪部２３、本体固定用爪部２４、および延長片部２５について、連結部材２０において設けられる数や位置等は本実施形態に限定されるものではない。また、本実施形態の水栓装置１は、スパウトヘッド７の吐水口６を、スパウト本体部８とは別体の引出し可能な吐水部９により構成するものであるが、スパウトヘッドの吐水口が、水栓本体部に連結される部分であるスパウト本体部と一体的な部分において形成される水栓装置においても本発明は適用可能である。
【００７６】
また、本実施形態の水栓装置１では、連結部材２０が内嵌される開口部が、スパウト本体部８においてスパウト側開口部８ａとして設けられ、連結部材２０が外嵌される差込部が、水栓本体部５において本体側差込部５ａとして設けられているが、これに限定されない。つまり、連結部材２０は、水栓本体部側に連結部材２０が内嵌される開口部が形成され、スパウト本体部側に連結部材２０が外嵌される差込部が形成される構成においても適用可能である。かかる構成について、本発明の第二実施形態として説明する。なお、本発明の第一実施形態と共通する部分については、同一の符号を用いる等して適宜説明を省略する。
【００７７】
図１０〜図１４に示すように、本実施形態の水栓装置において、カウンタ４に固定される水栓本体部２０５は、上側に向けて曲線的に徐々に縮径する漏斗状の外形を有し、カウンタ４上に立った状態で設けられる。水栓本体部２０５の上側に、スパウトヘッドを構成するスパウト本体部２０８が連結される。スパウト本体部２０８は、上側に向けて徐々に縮径するテーパ状の外形を有する。スパウト本体部２０８の上側に、スパウトヘッドにおいて吐水口を構成する吐水部２０９が支持される。
【００７８】
そして、本実施形態の水栓装置においては、水栓本体部２０５に、連結部材２０が内嵌される開口部として、本体側開口部２０５ａが形成される。また、水栓本体部２０５の上側に連結されるスパウト本体部２０８に、連結部材２０が外嵌される差込部として、スパウト側差込部２０８ａが形成される。すなわち、本実施形態においては、連結部材２０は、本体側開口部２０５ａに内嵌された状態、かつ、スパウト側差込部２０８ａに外嵌された状態で、水栓本体部２０５とスパウト本体部２０８とを連結させる。このため、本実施形態では、連結部材２０は、第一実施形態の場合とは上下が逆の姿勢で用いられる。
【００７９】
本実施形態では、第一爪部としてのスパウト固定用爪部２３は、掛止爪２３ａを本体側開口部２０５ａの内周面である本体部内周面２０５ｂに形成される内周凹部としての内周溝２０５ｄに係合させることで、本体側開口部２０５ａに内嵌される連結部材２０を水栓本体部２０５に対して固定する。また、第二爪部としての本体固定用爪部２４は、掛止爪２４ａをスパウト側差込部２０８ａの外周面に形成される外周凹部としての外周溝２０８ｄに係合させることで、スパウト側差込部２０８ａに外嵌される連結部材２０をスパウト本体部２０８に対して固定する。
【００８０】
また、本実施形態では、本体部内周面２０５ｂは、下側に広がる漏斗状に構成される水栓本体部２０５において下側にかけて径方向の外側に湾曲する面として形成される。このように湾曲する本体部内周面２０５ｂに対して、上側開口端部２１ｂからの延出方向に湾曲する延長片部２５が部分的にまたは全体的に接触した状態で、本体部内周面２０５ｂの一部を押圧する。このように、本実施形態では、連結部材２０の基部２１に対して一体的に形成される延長片部２５は、本体側開口部２０５ａに内嵌された状態において、弾性力によって本体部内周面２０５ｂを押圧する。
【００８１】
また、本実施形態では、第一実施形態と同様に、本体固定用爪部２４の掛止爪２４ａが係合する外周溝２０８ｄが、スパウト側差込部２０８ａの周方向に連続する溝部として形成される。これにより、スパウト本体部２０８が、水栓本体部２０５に対して回転可能となる。
【００８２】
また、本実施形態では、第一実施形態と同様に、スパウト本体部２０８の回転範囲を規制するため、水栓本体部２０５側にガイド片２３１が設けられ、スパウト本体部２０８側に受入溝２３２が設けられる。ガイド片２３１は、本体側開口部２０５ａの開口端面である上端面２０５ｃにおいて、上側に向けて突出するように形成される。また、受入溝２３２は、スパウト側差込部２０８ａが突出する面部である下側面部２０８ｃにおいて下側に開口するように円弧状に形成される。これにより、スパウト本体部２０８の水栓本体部２０５に対する回転範囲が規制される。以上のような本実施形態の水栓装置においても、第一実施形態に係る水栓装置１と同様の作用・効果を得ることができる。
【００８３】
本発明の第三実施形態について説明する。なお、本発明の第一実施形態と共通する部分については、同一の符号を用いる等して適宜説明を省略する。本実施形態の水栓装置においては、連結部材が有する延長片部が、鉛直方向に沿うように略直線状に形成される。
【００８４】
図１５〜図１９に示すように、本実施形態の水栓装置において、カウンタ４に固定される水栓本体部３０５は、略筒状の外形を有し、カウンタ４上に立った状態で設けられる。水栓本体部３０５の上側に、スパウトヘッドを構成するスパウト本体部３０８が連結される。スパウト本体部３０８は、上側に向けて徐々に縮径するテーパ状の外形を有する。スパウト本体部３０８の上側に、スパウトヘッドにおいて吐水口を構成する吐水部３０９が支持される。
【００８５】
そして、本実施形態の水栓装置においては、第二実施形態と同様に、水栓本体部３０５に、連結部材３２０が内嵌される開口部として、本体側開口部３０５ａが形成され、水栓本体部３０５の上側に連結されるスパウト本体部３０８に、連結部材３２０が外嵌される差込部として、スパウト側差込部３０８ａが形成される。すなわち、本実施形態においては、連結部材３２０は、本体側開口部３０５ａに内嵌された状態、かつ、スパウト側差込部３０８ａに外嵌された状態で、水栓本体部３０５とスパウト本体部３０８とを連結させる。
【００８６】
本実施形態では、第一爪部としてのスパウト固定用爪部２３は、掛止爪２３ａを本体側開口部３０５ａの内周面である本体部内周面３０５ｂに形成される内周凹部としての内周溝３０５ｄに係合させることで、本体側開口部３０５ａに内嵌される連結部材３２０を水栓本体部３０５に対して固定する。また、第二爪部としての本体固定用爪部２４は、掛止爪２４ａをスパウト側差込部３０８ａの外周面に形成される外周凹部としての外周溝３０８ｄに係合させることで、スパウト側差込部３０８ａに外嵌される連結部材３２０をスパウト本体部３０８に対して固定する。
【００８７】
また、本実施形態では、本体部内周面３０５ｂは、略筒状に構成される水栓本体部３０５において上下方向に沿う略円筒面として形成される。このように略円筒面の本体部内周面３０５ｂに対して、連結部材３２０の基部３２１は、本体部内周面３０５ｂの形状に合わせて略円筒形状を有する。
【００８８】
また、同じく略円筒面の本体部内周面３０５ｂに対して、連結部材３２０が有する延長片部３２５が、基部３２１の下側開口端部３２１ｂから直線状に延出される。つまり、延長片部３２５は、基部３２１に対して繋がる部分を基点とする弾性変形によって、本体部内周面３０５ｂに対して部分的にまたは全体的に接触した状態で、本体部内周面３０５ｂを押圧するように形成される。このように、本実施形態では、連結部材３２０の基部３２１に対して一体的に形成される延長片部３２５は、本体側開口部３０５ａに内嵌された状態において、弾性力によって本体部内周面３０５ｂを押圧する。
【００８９】
また、本実施形態では、第一実施形態と同様に、本体固定用爪部２４の掛止爪２４ａが係合する外周溝３０８ｄが、スパウト側差込部３０８ａの周方向に連続する溝部として形成される。これにより、スパウト本体部３０８が、水栓本体部３０５に対して回転可能となる。
【００９０】
また、本実施形態では、第一実施形態と同様に、スパウト本体部３０８の回転範囲を規制するため、水栓本体部３０５側にガイド片３３１が設けられ、スパウト本体部３０８側に受入溝３３２が設けられる。ガイド片３３１は、本体側開口部３０５ａの開口端面である上端面３０５ｃにおいて、上側に向けて突出するように形成される。また、受入溝３３２は、スパウト側差込部３０８ａが突出する面部である下側面部３０８ｃにおいて下側に開口するように円弧状に形成される。これにより、スパウト本体部３０８の水栓本体部３０５に対する回転範囲が規制される。以上のような本実施形態の水栓装置においても、第一実施形態に係る水栓装置１と同様の作用・効果を得ることができる。
【符号の説明】
【００９１】
１      水栓装置
５      水栓本体部
５ａ    本体側差込部（差込部）
５ｄ    外周溝（外周凹部）
６      吐水口
７      スパウトヘッド
８      スパウト本体部
８ａ    スパウト側開口部（開口部）
８ｂ    スパウト本体部内周面
８ｄ    内周溝（内周凹部）
２０    連結部材
２１    基部
２１ｂ  上側開口端部
２３    スパウト固定用爪部（第一爪部）
２４    本体固定用爪部（第二爪部）
２５    延長片部
３１    ガイド片
３２    受入溝
【図１】
2011069169.tif 000003
【図２】
2011069169.tif 000004
【図３】
2011069169.tif 000005
【図４】
2011069169.tif 000006
【図５】
2011069169.tif 000007
【図６】
2011069169.tif 000008
【図７】
2011069169.tif 000009
【図８】
2011069169.tif 000010
【図９】
2011069169.tif 000011
【図１０】
2011069169.tif 000012
【図１１】
2011069169.tif 000013
【図１２】
2011069169.tif 000014
【図１３】
2011069169.tif 000015
【図１４】
2011069169.tif 000016
【図１５】
2011069169.tif 000017
【図１６】
2011069169.tif 000018
【図１７】
2011069169.tif 000019
【図１８】
2011069169.tif 000020
【図１９】
2011069169.tif 000021